(57)【要約】【課題】足等の被浴部に着用している靴下等を脱ぐ必要がなく、薄着の状態で、足湯（足温）感覚をオフィス等で手軽に楽しめ、かつ、熱媒温を従来の電気足温器に比して直接的に知覚し易い新規な身体部分浴器を提供すること。【解決手段】足湯等をするのに好適な身体部分浴器。数個のヒートパック１１からなるヒートパックユニット１３と、部分浴器本体１５とを備えている。ヒートパック１１は、被浴部に沿って弾力的に当接可能な弾性熱媒層１７を有し、その裏面側に面状発熱体からなる発熱層２３を有する。該部分浴器本体１５の被浴部対応部と、各ヒートパック１１の裏面との間には面状ファスナー１９等が配されて着脱可能とされている。【選択図】図５
2010088581.tif 000002
【特許請求の範囲】
【請求項１】
身体の一部分（被浴部）を浴させるために使用する身体部分浴器であって、
１個のヒートパック又は複数個のヒートパックからなるヒートパックユニットと、前記被浴部に着脱可能な部分浴器本体とを備え、
前記ヒートパックは、被浴部に沿って弾力的に当接可能な弾性熱媒層を有し、
該部分浴器本体の前記被浴部対応部位と前記ヒートパックの裏面との間にはヒートパック着脱手段を備えている、
ことを特徴とする身体部分浴器。
【請求項２】
前記弾性熱媒層が、使用温度で弾性ゲル構造を維持可能なゲル体（熱媒）が充填された、単セル構造又は複数セル構造の熱媒シート体で形成されていることを特徴とする請求項１記載の身体部分浴器。
【請求項３】
前記ヒートパックが、前記弾性熱媒層の裏面側に発熱層を有していることを特徴とする請求項１又は２記載の身体部分浴器。
【請求項４】
前記発熱層が面状抵抗発熱体で形成されていることを特徴とする請求項３記載の身体部分浴器。
【請求項５】
請求項４記載の身体部分浴器がブーツ形の足温浴器であって、前記ヒートパックユニットが左・右足用の対とされ、該各ヒートパックユニットは、それぞれ、大（脹脛用）、中(足底用)、小（足甲用）の３個組構成であり、且つ、該３個組の面状抵抗発熱体は、相互にコード接続されていることを特徴とする足温浴器。
【請求項６】
前記足温浴器の浴器本体は、足底対応部に対して展開可能に脹脛対応部及び足甲対応部が、足底対応部の一側縁に沿ってヒンジ連結部を有してスリット分割され、該各分割スリットに閉じ手段が配され、さらに脹脛対応部は、脛部締め手段を備えていることを特徴とする請求項５記載の足温浴器。
【発明の詳細な説明】
【技術分野】
【０００１】
本発明は、身体部分浴器に関する。さらに詳しくは、足等の身体の一部（被浴部）を保温浴等するのに好適な身体部分浴器に関する。
【０００２】
ここでは、被浴部として、主として足湯（足温浴器）の場合を例に採り説明する。本発明の身体部分浴器は、足湯用に限られず、脚や下半身、手、腕、胴、腰、肩、胸、首等の温浴用、さらには、冷浴用としても、適宜設計変更を加えて使用できる。
【背景技術】
【０００３】
昨今の健康ブームから、足湯が、健康増進、ダイエット、疲労回復、病気治癒（特に自律神経失調症）など種々の効果があるとされ、足温浴器の需要が増大しつつある。
【０００４】
足湯は、全身浴と異なり体力を消耗しないため、高齢者や虚弱体質の者にも適している。
【０００５】
このため、各種足温浴器（足温浴装置、手足温冷浴装置）が提案されている（特許文献１〜５等参照）。
【０００６】
しかし、これらの温浴器は、いずれも、素足で使用する必要がある。このため、オフィス（仕事場）、さらには家庭でも昼間手軽に使用することができない（特に、女性の如く、パンティストッキングを着用しているため）。
【０００７】
なお、電気足温器の場合は、靴下等を脱ぐ必要はないが、足湯の如く、水圧（流体圧）を感じられず、また、被浴部との間に空気層が介在するため足温効率（伝熱効率）が良好とは言えない。即ち、直接的に雰囲気温（熱媒温）を知覚できず、隔靴掻痒の感があった。
【０００８】
そこで、本発明者らは、先に、下記構成の身体部分浴器を提案した（特許文献６）。
【０００９】
「身体の一部分（被浴部）を浴させるために使用する身体部分浴器であって、
前記被浴部に略密着して接触可能な可撓性伝熱壁で形成された被浴部囲繞部と、該被浴部囲繞部の被浴部非接触面側に形成される熱媒を保持する熱媒保持部とを備えていることを特徴とする身体部分浴器。」
しかし、当該構成の身体部分浴器は、被浴部が脹脛部のように熱媒保持部を垂直方向の長さを長くする必要がある場合等においては、熱媒が液状でその自重により下方空間へ偏在し易く、熱媒保持部の形態保持が困難であった。
【特許文献１】特開２００４−２６７３９６公報（要約書等）
【特許文献２】特開２００３−１２６２１５公報（要約書等）
【特許文献３】特開２００１−２３１８３９公報（要約書等）
【特許文献４】特開２００１−２３１８３８公報（要約書等）
【特許文献５】特開平８−５７０１３号公報（要約書等）
【特許文献６】特開２００７−２７５４１４号公報（特許請求の範囲等）
【発明の開示】
【発明が解決しようとする課題】
【００１０】
本発明は、上記にかんがみて、足等の被浴部に着用している靴下等を脱ぐ必要がなく、薄着の状態で、足湯（足温）感覚をオフィス等で手軽に楽しめ、かつ、熱媒温を従来の電気足温器に比して直接的に知覚し易く、更には、熱媒保持部の垂直方向長さが長くても、形態保持も容易である新規な身体部分浴器を提供することを目的（課題）とする。
【課題を解決するための手段】
【００１１】
本発明者は、上記課題を解決するために鋭意開発に努力をした結果、下記構成の身体部分浴器に想到した。参考のために、代表的な図符号を付すが、図符号が付された部材に限定されるものではない。
【００１２】
身体の一部分（被浴部）を浴させるために使用する身体部分浴器であって、
1個のヒートパック１１又は複数個のヒートパック１１からなるヒートパックユニット１３と、被浴部に着脱可能な浴器本体１５とを備え、
ヒートパック１１は、被浴部に沿って弾力的に当接可能な弾性熱媒層１７を有し、
該浴器本体１５の被浴部対応部とヒートパック１１の裏面との間にはヒートパック１１の着脱手段１９を備えている、ことを特徴とする。
【００１３】
浴器本体１５に収納したヒートパック１１の弾性熱媒層を脹脛等の被浴部に弾力的に当接させることができる。このため、例えば、足湯等をしたい場合、靴下等を脱がなくても、足湯と同等の効果（被浴部全体が均一温度となる。）を得ることができる。通常の電熱足温器では、空気層が介在するとともに、被浴部全体の温度分布にもバラツキが発生するため、そのような効果を得られない。
【００１４】
そして、浴器本体１５からヒートパック１１を着脱できるため、運搬時にはヒートパック１１を外してコンパクト化が容易であり、ヒートパック１１と共に、セットで容易に持ち運びができる。したがって、オフィス（仕事場）、さらには家庭でも、好きな場所で、気軽に足湯（足温浴）ができる。
【００１５】
そして、本発明の身体部分浴器は、ヒートパック１１を、電子レンジで暖めたり、冷蔵庫乃至冷凍庫で冷やしたりして、浴器本体にセットすれば、温・冷浴器として使用可能である。
【００１６】
上記弾性熱媒層１７は、例えば、使用温度で弾性ゲル構造を維持可能なゲル体（熱媒）を充填した、単セル構造又は複数セル構造の熱媒シート体で形成する。弾性熱媒層１７の形成が容易であり、熱媒保持部の垂直方向長さが長くても、ゲル体を使用するため、液状熱媒で生じるような重力の偏在を防止できる。複数セル構造とすることにより、ゲル体の重力による偏在をさらに長時間にわたって防止できる。
【００１７】
上記身体部分浴器を温浴器として使用する場合は、ヒートパック１１を、弾性熱媒層１７の裏面側に発熱層２３を有するものとする。該発熱層２３は、入れ替え可能な化学発熱体（酸化反応による。）で形成してもよいが、例えば、発熱層２３を面状抵抗発熱体で形成する。サーモスタットや電子温度制御により温調を容易とすることができる。
【００１８】
そして、発熱層２３を面状発熱体で形成した身体部分浴器をブーツ形の足温浴器とする場合は、例えば、下記構成となる。
【００１９】
ヒートパックユニット１３を左・右足用の対とし、各ヒートパックユニット１３を、それぞれ、大ヒートパック（脹脛用）１１、中ヒートパック(足底用)１１Ａ、小ヒートパック（足甲用）１１Ｂの３個組構成とし、且つ、該３個組の面状抵抗発熱体２３は、相互にコード２５で接続されている。このため、足温浴器のコンパクト化が容易となる。
【００２０】
上記構成の足温浴器の浴器本体１５は、足底対応部２９に対して展開可能に脹脛対応部２７及び足甲対応部３１が、足底対応部２９の一側縁に沿ってヒンジ連結部Ｈ１、Ｈ２を有してスリット分割して構成されている。各分割スリットＳ１、Ｓ２に閉じ手段４１、４１Ａを配し、さらに脹脛対応部２７は、脛部締め手段４３、４５を備えたものとなる。当該構成とした場合は、折畳みが容易であり、持ち運び性、収納性がさらに向上する。当該構成とした場合は、略平面的に展開可能であり、使用後は乾燥を促進させ易く、温浴器本体の洗濯・乾燥も容易となる。
【発明を実施するための最良の形態】
【００２１】
以下、本発明を、ブーツ形足温浴器を例に採り説明する。
【００２２】
（Ａ）第一実施形態
この実施形態は、集団利用を予定したものである。ここで、集団利用とは、オフィス・工場等で社員が、又は、ヘルスセンター・ホテル・旅館等で不特定多数が利用するような場合をいう。
【００２３】
この実施形態で使用するヒートパックユニットの一例を図１に示す。
【００２４】
このパックユニットは、左・右足用のヒートパックユニット対１３、１３からなり、各ヒートパックユニット１３は、それぞれ、大（脹脛用）、中(足底用)、小（足甲用）のヒートパック１１、１１Ａ、１１Ｂの３個からなる。
【００２５】
ヒートパック１１は、図２に示す如く、弾性熱媒層１７と、弾性熱媒層１７の裏面側に配される発熱層（面状抵抗発熱体）２３および断熱層１８とからなる。
【００２６】
それらは、伝熱性が良好で強度を有するＰＥやＰＶＣ等のパックフィルム１６で一体化されている。バンド等で一体化してもよい。なお、パックフィルム１６は、弾性熱媒層１７／発熱層２３／断熱層１８の組体との間に隙間がある状態で図示されているが、実際は組体に密着している。
【００２７】
上記弾性熱媒シート１７は、使用温度で弾性ゲル構造を維持可能なゲル体（熱媒）が充填された、単セル構造又は複数セル構造１７ａ・・・のシート体で形成する。上記ゲル体としては、使用温度で弾性ゲル構造を維持可能であれば、特に限定されない。例えば、キサンタンガムやカラギーナン等の天然ガム（増粘多糖類）をベースとし、防腐剤、凍結防止剤等の機能性向上剤を添加して品質安定化させたものを使用することが望ましい。なお、弾性熱媒シート１７の被覆フィルムは、水蒸気バリア性の高い複層フィルム（例えば、ＰＥＴベース）を使用することが望ましい。
【００２８】
さらに、本実施形態では、低温火傷を防止するために、弾性熱媒シート１７および面状抵抗発熱体２３にそれぞれ温度検知部２４、２４Ａが配され、各温度検知部２４、２４Ａの信号により電子制御（サイリスタ、サーミスタなどの半導体を使用して）可能とされている。サーモスタット制御としてもよい。制御機構は、スイッチ付き温調器２１に組み込まれコード（絶縁体被覆導電線）２５を介して各面状抵抗発熱体２３に接続されている。なお、２２は分岐コネクタである。
【００２９】
分岐コネクタ２２は必然的ではなく、スイッチ付き温調器２１から、直接、左右のヒートパックユニット１３、１３へ分岐させてもよい。
【００３０】
また、図１での斜線ハッチ部は、導電部（面状発熱体導電部および接続導電部を含む）を意味する。
【００３１】
面状抵抗発熱体２３は、特に限定されないが、例えば、図例のような並列電極タイプで導電塗料を布等の支持体に塗布したものを使用できる。並列電極とすることにより1箇所断線しても通電が継続され発熱を維持でき、また、面全体に亘り均一な発熱（加熱）を期待できる。
【００３２】
なお、面状抵抗発熱体２３の電源は、事務所や家庭での供給電源（交流電源）とするが、電池であってもよい。
【００３３】
また、断熱層１８の材質は、特に限定されないが、例えば、発泡シート（例えば、発泡スチレン）とする。
【００３４】
そして、各大・中・小ヒートパック１１、１１Ａ、１１Ｂは、それぞれ、大・中・小パックカバー３７、３７Ａ、３７Ｂに収納可能とされている。パックカバー３７、３７Ａ、３７Ｂは、通常、洗い換え可能な、望ましくは、吸湿性がよく肌触りも良好な木綿、麻等の布製とする。
【００３５】
パックカバー３７は、テープ状の開閉用面ファスナー３９（ループ３９ａ、フック３９ｂ）で閉じ可能とされている。面ファスナー対の代わりにボタン式、チャック式としてもよい。
【００３６】
さらに、各パックカバー３７・・・の裏面側には、テープ状の着脱用面ファスナー１９のループ１９ａが、縦方向両側に横方向に固着されている。
【００３７】
他方、ブーツ形の足温浴器の浴器本体１５は、足底対応部２９に対して展開可能に脹脛対応部２７及び足甲対応部３１が、足底対応部２９の一側縁（図例では外側縁）に沿ってヒンジ部Ｈ１、Ｈ２を有してスリット分割されている。該各分割スリットＳ１、Ｓ２に閉じ手段であるチャック（ジッパー）４１、４１Ａが配されている。さらに、脹脛対応部２７は、縦方向ヒンジ部Ｈ３を介して開閉可能な脛前面覆い部４３を有し、該脛前面覆い部４３は、浴器本体の脹脛対応部２７の外周面との間に、締め用面ファスナー４５のループ４５ａとフック４５ｂとを交差させて配し脛締め手段を形成する。
【００３８】
該締め用面ファスナー４５のループ４５ａが、脹脛対応部２７の開口縁に沿って縦方向に２本並列して貼着され、フック４５ｂが、脛前面覆い部４３の内面に横方向に３本並列して貼着されている。
【００３９】
さらに、それぞれ、各パックカバーで包まれた各足底・足甲・脹脛用の各ヒートパック１１を、テープ状の面ファスナー１９で着脱可能とされている。パックカバー３７・・・の裏面側に縦方向に形成された面ファスナー１９の複数本のループ１９ａに対応して、足底対応部２９、足甲対応部３１及び脹脛対応部２７の内側面には、複数本のフック１９ｂが横方向に並列して貼着されている。なお、それらのフック１９ｂは、足底対応部２９と足甲対応部３１は前後２本、脹脛対応部２７は前後２本に加えて中間に２本貼着されている。
【００４０】
次に、上記実施形態の使用態様について説明する。
【００４１】
まず、大・中・小ヒートパック１１、１１Ａ、１１Ｂに、大・中・小パックカバー３７、３７Ａ、３７Ｂを被せて、各カバーを面ファスナー３９で閉じる（図３・４）。
【００４２】
そして、各パックカバー３７・・・を、それぞれ、浴器本体１５の脹脛対応部２７・足底対応部２９・足甲対応部３１に、各着脱用面ファスナー１９を介してセットする（図５・６）。
【００４３】
この状態で、足底対応部２９と脹脛対応部２７及び足甲対応部３１との各分割スリットＳ１、Ｓ２をチャック４１、４１Ａで閉じて浴器本体１５を組み立てる（図７）。
【００４４】
そして、足甲対応部３１と足底対応部２９の隙間に足先を挿入するとともに、脛締めファスナー４５で脛前面覆い部４３を脹脛対応部２７の外側面に固定して脛を締める（図８）。
【００４５】
そして、この状態でスイッチ付き温調器２１のスイッチをオンとし、温調器で好みの温度に調節する。なお、ヒートパック１１が温まるのに時間がかかるときは、浴器本体組み立て前にスイッチオンとしておいてもよい。ここで、弾性熱媒層１７の表面温度は、通常、40〜45℃で設定するが、好み乃至温浴時間により、それより低い35℃乃至高い50℃に設定してもよい。
【００４６】
温調は電子温調であるので、安定した変動の少ない温調が可能である。
【００４７】
（２）第二実施形態（図９・１０）
基本的には、第一実施形態の足温浴器Ｂと同様であるので、同一部分については、同一図符号を付して、相違部分についてのみ説明する。
【００４８】
ヒートパックユニット１３を、大ヒートパック１１と中小合せヒートパック１１Ｃとの２個構成としてある。
【００４９】
そして、各ヒートパック１１、１１Ｃのブーツ形足温浴器本体１５へのセットは、脹脛対応部２７、足甲対応部３１、及び足底対応部２９にそれぞれ形成したポケット部２０、２０Ａ、２０Ｂへ挿入することにより行なうことができる構成としてある。
【００５０】
なお、上記各実施形態は、片足ずつ別体の温浴器に挿入して温浴するものであるが、図１１に示す如く、両足を同時に挿入して温浴する構成の足温浴器Ｂ１にすることもできる。主要部位には対応図符号（数字）末尾に英大文字「Ａ」を付した図符号を付した。
【図面の簡単な説明】
【００５１】
【図１】本発明のブーツ形の足温浴器の集団使用に好適な一実施形態に使用するヒートパックユニットの一例を示す平面図である。
【図２】図１の２−２線矢視拡大断面図である。
【図３】ヒートパニックユニットに各パックカバーを被せる際の斜視図である。
【図４】（Ａ）、（Ｂ）、（Ｃ）は、それぞれ、パックカバーの平面図、裏面図およびヒートパック１１閉じ時の断面図である。
【図５】パックカバーを被せたヒートパックユニットを足温浴器にセットする際の斜視図である。
【図６】ヒートパックユニットを足温浴器にセット後の斜視図である。
【図７】足温浴器組み立て後、足挿入前の斜視図である。
【図８】同じく足挿入後の斜視図である。
【図９】本発明のブーツ形足温浴器の家庭的使用に好適な一実施形態に使用するヒートパックユニットの一例を示す平面図である。
【図１０】ヒートパックユニットを足温浴器本体にセットする際の斜視図である。
【図１１】本発明の両足挿入タイプの足温浴器本体の一実施形態を示す全体斜視図である。
【符号の説明】
【００５２】
１１、１１Ａ、１１Ｂ    ヒートパック
１３    ヒートパックユニット
１５、１５Ａ、１５Ｂ    足温浴器本体（浴器本体）
１７    弾性熱媒層
１９    パック着脱面ファスナー（ヒートパック着脱手段）
２０、２０Ａ、２０Ｂ    パック収納ポケット（ヒートパック着脱手段）
２７、２７Ａ    本体の脹脛対応部
２９、２９Ａ    本体の足底対応部
３１、３１Ａ    本体の足甲対応部
【図１】
2010088581.tif 000003
【図２】
2010088581.tif 000004
【図３】
2010088581.tif 000005
【図４】
2010088581.tif 000006
【図５】
2010088581.tif 000007
【図６】
2010088581.tif 000008
【図７】
2010088581.tif 000009
【図８】
2010088581.tif 000010
【図９】
2010088581.tif 000011
【図１０】
2010088581.tif 000012
【図１１】
2010088581.tif 000013